(57)【要約】【課題】  より確実に且つ効率よく不正行為を監視することができる遊技機監視システム、及び該遊技機監視システムを備えた遊技機を提供する。【解決手段】確認用のＲＦＩＤ通信が行われた後、マスターカードがカードホルダから引き抜かれると、Ｒ／Ｗユニットは、その後監視タグと監視アンテナとの間で行われる監視用のＲＦＩＤ通信において、確認アンテナからの呼出波に対する監視タグからの最初の反射波に含まれている識別情報を、第三の識別情報としてＲＡＭに記憶する。そして、ＲＡＭに記憶された第三の識別情報と、ＥＥＰＲＯＭに記憶された第一の識別情報とを比較する。比較の結果、異なる識別情報がある場合には、その旨をステーション等へと送信し、ステーションにて報知する。その後、ステーションから送信される確認信号を契機として、Ｒ／ＷユニットではＲＡＭに記憶されている識別情報をＥＥＰＲＯＭへと上書きする。【選択図】図１３
2005218788.tif 000002
【特許請求の範囲】
【請求項１】
少なくとも一方の移動によって相対距離が変化する第一の部材と第二の部材とからなる可動部を少なくとも一組有する遊技機に用いられる遊技機監視システムであって、
前記遊技機監視システムは、
前記第一の部材あるいは前記第二の部材のどちらか一方の部材に設けられ、呼出波を受信すると記憶している固有の識別情報を含む反射波を出力する監視タグと、
他方の部材に設けられ、前記監視タグに対して呼出波を送信し、前記監視タグからの反射波を受信する監視アンテナと、
遊技機を取り扱う権限に関する識別情報を記憶した確認タグ、及び該確認タグを保持可能なホルダに設けられ、確認タグとの間で確認用の非接触通信可能な確認アンテナからなる確認手段と、
前記監視タグと前記監視アンテナとの間における監視用の非接触通信及び前記確認手段において行われる確認用の非接触通信を制御する制御手段と、前記監視タグに記憶されている固有の識別情報に前記監視タグの設置位置に関する情報を付与した第一の識別情報、前記確認タグに記憶されている第二の識別情報、及び前記制御手段における制御履歴からなる履歴情報とを記憶する記憶手段と、周囲に報知するための報知手段及び信号を出力可能な応答手段を備えた外部のコンピュータとの間で信号を入出力可能な入出力手段とを備えており、前記監視アンテナ及び前記確認アンテナに接続された監視制御装置と、
を有しており、
前記制御手段によって、前記確認手段において前記確認タグと前記確認アンテナとの間で確認用の非接触通信が行われる間は、前記監視タグと前記監視アンテナとの間における監視用の非接触通信を行わないように制御するとともに、前記確認タグと前記確認アンテナとの間で確認用の非接触通信が行われた後に再開する監視用の非接触通信において、前記監視タグから最初に出力される反射波に含まれている固有の識別情報に前記監視タグの設置位置に関する情報を付与して第三の識別情報として記憶し、前記第一の識別情報と前記第三の識別情報とを比較して、両者が異なっている場合には前記入出力手段から前記報知手段へと報知信号を出力することを特徴とする遊技機監視システム。
【請求項２】
前記報知信号は、第一の識別情報と第三の識別情報とが異なる監視タグの設置位置に関するものを含むことを特徴とする請求項１に記載の遊技機監視システム。
【請求項３】
前記入出力手段を介して入力される前記外部のコンピュータからの確認信号を契機として、前記第三の識別情報を第一の識別情報に上書きすることを特徴とする請求項１または２に記載の遊技機監視システム。
【請求項４】
請求項１〜３のいずれかに記載の遊技機監視システムを備えており、該遊技機監視システムにより、前記可動部が監視可能であることを特徴とする遊技機。
【発明の詳細な説明】
【技術分野】
【０００１】
本発明は、パチンコ機、スロットマシーン等の遊技機を監視するための遊技機監視システム、及び該遊技機監視システムを備えた遊技機に関するものである。
【背景技術】
【０００２】
従来より、たとえば、機枠、遊技枠及び前面枠等を備えたパチンコ機において、特定の遊技者が不正に利益を得ようとして、遊技枠や前面枠等を不正に開放したり、遊技内容を制御するＬＳＩやＲＯＭ等を交換するといった不正行為が後を絶たない。そこで、そのような不正行為を防止するために、たとえば特許文献１に開示されているような遊技機用監視装置が考案されている。
【０００３】
【特許文献１】特開２０００−２８８２１８号公報
【０００４】
特許文献１に開示されている遊技機用監視装置は、ＬＳＩやＲＯＭ等を収納した制御装置の収納ケースの表面に、固有の識別情報を記憶したＩＣタグを貼着するとともに、ＩＤ読取装置をＩＣタグと対峙するように設置したものであり、収納ケースごと制御装置がすり替えられたか否かを監視している。
【０００５】
この遊技機用監視装置では次に示すような方法で監視を行っている。まず、ＩＣタグとＩＤ読取装置との間で非接触のＲＦＩＤ（Radio Frequency identification）通信を行い、ＩＤ読取装置にてＩＣタグに記憶された識別情報を読み取る。次に、読み取った識別情報を情報管理装置へと送信する。そして、情報管理装置において、識別情報が正しいものであるか否か（予め登録されたものであるか否か）を判別して、上述したような不正行為を監視している。
【発明の開示】
【発明が解決しようとする課題】
【０００６】
しかしながら、特許文献１に開示されている遊技機用監視装置は、一つのＩＣタグに対してＩＤ読取装置を一つ設置しているため、一台の遊技機において複数箇所で不正行為を監視する（遊技枠や前面枠等の不正開放や制御装置に対する不正行為等）となると、ＩＤ読取装置の設置場所の確保が非常に困難となる。
また、上述したような遊技機用監視装置では、ＩＤ読取装置が制御装置収納ケースの外側に配置されているため、ＩＣタグとＩＤ読取装置の相対位置を変更せずに制御装置収納ケースを開放し、収納された制御装置やＲＯＭ等をすり替えることが可能であり、結局は不正行為の早期発見に至らなかった。
【０００７】
そこで本発明は、上述したような課題を解決すべく、遊技機により簡単に設置可能であるとともに、より確実に且つ効率よく不正行為を監視することができる遊技機監視システム、及び該遊技機監視システムを備えた遊技機を提供しようとするものである。
【課題を解決するための手段】
【０００８】
上述したような目的を達成するために、請求項１に記載の発明は、少なくとも一方の移動によって相対距離が変化する第一の部材と第二の部材とからなる可動部を少なくとも一組有する遊技機に用いられる遊技機監視システムであって、前記遊技機監視システムは、前記第一の部材あるいは前記第二の部材のどちらか一方の部材に設けられ、呼出波を受信すると記憶している固有の識別情報を含む反射波を出力する監視タグと、他方の部材に設けられ、前記監視タグに対して呼出波を送信し、前記監視タグからの反射波を受信する監視アンテナと、遊技機を取り扱う権限に関する識別情報を記憶した確認タグ、及び該確認タグを保持可能なホルダに設けられ、確認タグとの間で確認用の非接触通信可能な確認アンテナからなる確認手段と、前記監視タグと前記監視アンテナとの間における監視用の非接触通信及び前記確認手段において行われる確認用の非接触通信を制御する制御手段と、前記監視タグに記憶されている固有の識別情報に前記監視タグの設置位置に関する情報を付与した第一の識別情報、前記確認タグに記憶されている第二の識別情報、及び前記制御手段における制御履歴からなる履歴情報とを記憶する記憶手段と、周囲に報知するための報知手段及び信号を出力可能な応答手段を備えた外部のコンピュータとの間で信号を入出力可能な入出力手段とを備えており、前記監視アンテナ及び前記確認アンテナに接続された監視制御装置と、を有しており、前記制御手段によって、前記確認手段において前記確認タグと前記確認アンテナとの間で確認用の非接触通信が行われる間は、前記監視タグと前記監視アンテナとの間における監視用の非接触通信を行わないように制御するとともに、前記確認タグと前記確認アンテナとの間で確認用の非接触通信が行われた後に再開する監視用の非接触通信において、前記監視タグから最初に出力される反射波に含まれている固有の識別情報に前記監視タグの設置位置に関する情報を付与して第三の識別情報として記憶し、前記第一の識別情報と前記第三の識別情報とを比較して、両者が異なっている場合には前記入出力手段から前記報知手段へと報知信号を出力することを特徴とするものである。
また、請求項２に記載の発明は、請求項１に記載の発明に加えて、どこに設置されている監視タグがどれに変更したのかを容易に把握することができるように、前記報知信号は、第一の識別情報と第三の識別情報とが異なる監視タグの設置位置に関するものを含むことを特徴とするものである。
さらに、請求項３に記載の発明は、請求項１または２に記載の発明に加えて、前記入出力手段を介して入力される前記外部のコンピュータからの確認信号を契機として、前記第三の識別情報を第一の識別情報に上書きすることを特徴とするものである。
加えて、請求項４に記載の発明は、請求項１〜３のいずれかに記載の遊技機監視システムを備えており、該遊技機監視システムにより、前記可動部が監視可能であることを特徴とする遊技機である。
【発明の効果】
【０００９】
本発明に係る遊技機監視システム及び該遊技機監視システムを備えた遊技機によれば、確認手段を利用して遊技機を取り扱う権限を有しているか否かを確認するため、遊技機の修理等により正規に遊技枠を開放する際等に、監視制御装置において監視用の非接触通信を利用した監視を行わない。したがって、監視履歴情報等の管理を行いやすく、より効率よく監視を行うことができる。
また、各監視タグの識別情報を、監視制御装置の記憶手段に、各監視タグの固着位置に関連した情報を付与して、第一の識別情報として記憶している。そして、確認手段において確認用の非接触通信を行った後に行われる監視用の非接触通信では、各監視タグからの最初の反射波に含まれている識別情報を第三の識別情報として記憶するとともに、第一の識別情報と第三の識別情報とを比較する。比較の結果、両者が異なっていた場合には、報知手段を有する外部のコンピュータへと報知信号を送信する。したがって、遊技機を取り扱う権限を有した者が故障等により監視タグを交換した場合に、その事態を極めて容易に把握することができ、遊技機をより厳重に監視することができる。加えて、各監視タグの識別情報を記憶する際に、各監視タグの固着位置に関連した情報を付与するため、複数箇所において監視タグが交換された場合にも対応可能である。
さらに、請求項２に記載の発明によれば、報知信号は、第一の識別情報と第三の識別情報とが異なる監視タグの設置位置に関するものを含むものであるため、どこの監視タグがどの識別情報を有するものに交換されたのかを極めて容易に把握することができ、より効率の良い監視を行うことができる。特に複数箇所で監視を行っていた場合等には、よりその効果が顕著なものとなる。
加えて、請求項３に記載の遊技機監視システム及び該遊技機監視システムを備えた遊技機とすることにより、外部のコンピュータの応答手段から発せられる確認信号を検知するまでは、第三の識別情報を上書きしないため、例えばホールの店長等が、監視タグが交換されたという事実を確認しやすくなっており、きわめて効率よく監視を行うことができる。
【発明を実施するための最良の形態】
【００１０】
以下、本発明に係る遊技機監視システム及び遊技機の一実施形態である、遊技機監視システム及びパチンコ機について、図面に基づき、次の目次の順序にしたがって、詳細に説明する。
（１）実施例の遊技機監視システム及びパチンコ機の概要
（２）実施例の遊技機監視システム及びパチンコ機の構造
（３）実施例の遊技機監視システム及びパチンコ機の動作内容
（４）実施例の遊技機監視システム及びパチンコ機の効果
（５）本発明の変更例の説明
【００１１】
（１）実施例の遊技機監視システム及びパチンコ機の概要
本実施例に係る遊技機監視システムの監視対象であるパチンコ機は、パチンコ機本体を支持する機枠（可動部）に、ミドル枠（可動部）が着脱自在に取り付けられたものである。ミドル枠の前面側には、ガラス板等が設置された前面枠（可動部）、供給皿、及び貯留皿等が着脱自在に取り付けられている。
また、ミドル枠の後面側には、前ケース及び後ケースからなる分割式の収納ケース（可動部）であるメイン制御基板収納ケース、パチンコ機の監視動作を制御するとともに監視履歴情報を記憶する監視制御装置であるリーダ／ライタユニット（以下、Ｒ／Ｗユニットと称す）、及び遊技球払出装置等が設置されている。
以下、ミドル枠、及びミドル枠に取り付けられている前面枠等を合わせて遊技枠（可動部）と称す。
【００１２】
一方、本実施例に係る遊技機監視システムは、Ｒ／Ｗユニット、該Ｒ／Ｗユニットと接続された監視アンテナ、及び監視アンテナとの間で監視用のＲＦＩＤ通信（非接触通信）可能で、固有の識別情報を記憶した監視タグ、及びパチンコ機を取り扱う（前面枠や遊技枠を開放する等）権限を有しているか否かを確認するための確認手段等を備えている。
【００１３】
Ｒ／Ｗユニットは、監視タグと監視アンテナとの間で行われる監視用のＲＦＩＤ通信や確認手段で行われる確認用のＲＦＩＤ通信を制御する制御手段、各監視タグに記憶されている固有の識別情報に各タグの固着位置に関する情報を付与した第一の識別情報と、確認タグに記憶されている第二の識別情報と、監視に係る情報である監視履歴情報とを記憶するためのＥＥＰＲＯＭ（記憶手段）、一時的な記憶を行うＲＡＭ（記憶手段）、各アンテナと接続されるＲＦ回路、時刻を計時するためのタイマ、及びホールコンピュータ（以下、ステーションと称す）と接続するための入出力手段等を有している。
また、Ｒ／Ｗユニットは上述の如く監視アンテナと接続されており、監視アンテナから常時（２４時間）呼出波を送信して監視タグとの間で監視用のＲＦＩＤ通信を行うことで、パチンコ機をリアルタイムで監視している。
【００１４】
本実施例では、機枠に監視タグである機枠タグを、遊技枠に監視アンテナである機枠アンテナをそれぞれ固着し、機枠に対して遊技枠を閉じた場合にのみ、機枠タグと機枠アンテナとの間で監視用のＲＦＩＤ通信可能とする（逆に、遊技枠が開放された場合にはＲＦＩＤ通信が成立しなくなる）ことで、遊技枠の開閉状態を監視している。
また、前面枠に監視タグである前面枠タグを、遊技枠に監視アンテナである前面枠アンテナをそれぞれ固着し、遊技枠において前面枠を閉じた場合にのみ、前面枠タグと前面枠アンテナとの間で監視用のＲＦＩＤ通信可能とする（逆に、前面枠が開放された場合にはＲＦＩＤ通信が成立しなくなる）ことで、遊技枠における前面枠の開閉状態を監視している。
【００１５】
さらに、メイン制御基板収納ケースの前ケースと後ケースとに跨るような位置に、監視タグであるケースタグと、監視アンテナであるケースアンテナとを固着して、メイン制御基板収納ケースが閉じている場合にのみ、ケースタグとケースアンテナとの間で監視用のＲＦＩＤ通信可能とする（逆に、メイン制御基板収納ケースが開放された場合にはＲＦＩＤ通信が成立しなくなる）ことで、メイン制御基板収納ケースの開閉状態を監視している。
尚、各監視タグと各監視アンテナとは、両者が所定の通信距離内（たとえば、５ｍｍ）となった場合にＲＦＩＤ通信可能となっている。また、ＲＦＩＤ通信可能な距離を５ｍｍ程度に設定することで、遊技枠や前面枠・メイン制御基板収納ケースにおけるわずかな開放をも検知可能となっている。
【００１６】
一方、確認手段は、パチンコ機を取り扱う権限に関する固有の識別情報を記憶した確認タグが収納されたマスターカードと、該マスターカードを保持可能でカード差込口をパチンコ機の前面側に向けて開放したカードホルダ（ホルダ）と、該カードホルダに差し込まれたマスターカードに収納されている確認タグと確認用のＲＦＩＤ通信（非接触通信）可能であって、カードホルダに固着された確認アンテナとを備えている。また、上述の如く確認アンテナもＲ／Ｗユニットに接続されており、確認タグと確認アンテナとの間で行われる確認用のＲＦＩＤ通信もＲ／Ｗユニットによって制御される。
尚、確認タグと確認アンテナとは、両者が両者が所定の通信距離内（たとえば、５ｍｍ）となった場合にＲＦＩＤ通信可能となっており、カードホルダにマスターカードを差し込むと自然と両者が通信距離内に位置するように確認タグ及び確認アンテナはそれぞれ設置されている。
【００１７】
ステーションは、実施例に係る遊技機監視システムを備えたパチンコ機が設置されるホールに備えられるホールコンピュータであって、各パチンコ機に設置されたＲ／Ｗユニットと接続されている。ステーションは、各Ｒ／Ｗユニットからの要請に応じて、パチンコ機に不正行為が行われた可能性がある旨等を周囲に報知するための報知手段を備えている。さらに、確認信号等の各種信号をＲ／Ｗユニットへと送信するための応答手段を備えている。加えて、ステーションでは各Ｒ／ＷユニットのＥＥＰＲＯＭやＲＡＭに記憶される監視履歴情報等を記憶・管理する管理手段も備えている。
【００１８】
一方、Ｒ／Ｗユニットで制御される監視用のＲＦＩＤ通信を利用した監視動作とは、各監視アンテナから呼出波を送信し、その呼出波に対する各監視タグからの反射波を所定時間内に各監視アンテナで受信するか否か、及び受信した反射波に含まれている各識別情報とＲ／Ｗユニットに記憶されている識別情報とを比較して一致するか否かを判定するとともに、反射波を受信しなかったり（たとえば、遊技枠が不正に開放された場合等）識別情報が一致しなかったりした場合には正常でないと判断し、その時刻をタイマに基づいてＥＥＰＲＯＭに記憶するものである。そして、正常でない状態を検知した場合にはステーション等へとその旨を送信し、ステーションの報知手段によって報知する。さらに、監視用のＲＦＩＤ通信は短時間の周期（約数十ｍｓ）で常時繰り返し行われる。加えて、Ｒ／ＷユニットのＥＥＰＲＯＭに記憶されている各監視タグの識別情報は、監視タグの固着位置（つまり、監視アンテナの固着位置）に関連づけられた情報として記憶されている。
【００１９】
さらに、Ｒ／Ｗユニットで制御される確認用のＲＦＩＤ通信を利用した確認動作とは、マスターカードがカードホルダに差し込まれることで、確認アンテナからの呼出波に対する確認タグからの反射波を受信すると、その反射波に含まれている識別情報と、ＥＥＰＲＯＭに予め記憶されている識別情報（第二の識別情報）とを比較して、両者が一致するか否か、つまりパチンコ機を取り扱う者が権限を有するか否かを判定するものである。尚、マスターカードがカードホルダに差し込まれている間、確認用のＲＦＩＤ通信は短時間の周期（約数十ｍｓ）で繰り返し行われる。
判定の結果、両者が一致すると、カードホルダにマスターカードが差し込まれている間、Ｒ／Ｗユニットは監視用のＲＦＩＤ通信を行わない。したがって、たとえば遊技枠が開放されたとしても、Ｒ／Ｗユニットは正常でない状態であると判断しない。尚、Ｒ／Ｗユニットは、確認用のＲＦＩＤ通信を行った時刻や、その際利用された識別情報等を作業履歴として記憶する。
【００２０】
また、上述したような確認用のＲＦＩＤ通信が行われた後、マスターカードがカードホルダから引き抜かれると、Ｒ／Ｗユニットは、その後監視タグと監視アンテナとの間で行われる監視用のＲＦＩＤ通信において、確認アンテナからの呼出波に対する監視タグからの最初の反射波に含まれている識別情報を、第三の識別情報としてＲＡＭに記憶する。そして、ＲＡＭに記憶された第三の識別情報と、ＥＥＰＲＯＭに記憶された第一の識別情報とを比較する。比較の結果、全ての識別情報が一致した場合には、ＲＡＭに記憶されている識別情報をそのままＥＥＰＲＯＭに上書きする一方、異なる識別情報がある場合には、その旨をステーション等へと送信し、ステーションにて報知する。その後、ステーションから送信される確認信号を契機として、Ｒ／ＷユニットではＲＡＭに記憶されている識別情報をＥＥＰＲＯＭへと上書きする。
【００２１】
（２）実施例の遊技機監視システム及びパチンコ機の構造
図１は、パチンコ機１の前面を示した説明図であり、図２は、遊技枠３及び前面枠４を片開きにした状態を示す斜視図である。また、図３は、パチンコ機１の後面を示した説明図である。
パチンコ機１は、その周囲を機枠２によって支持されたものであって、機枠２の前面側には、金属板により形成されたミドル枠５が、左端縁（前面側から見て）を軸として着脱自在に蝶着されている。また、ミドル枠５の前面側でパチンコ機１の中央よりやや上方となる位置には、略正方形の遊技盤６が設置されているとともに、該遊技盤６を覆うように前面枠４が左端縁（前面側から見て）を軸として着脱自在に蝶着されている。
【００２２】
また、前面枠４の下方には、発射装置７に遊技球を供給するための供給皿８、及び供給皿８から溢れた遊技球を貯留するための貯留皿９が設置されている。加えて、供給皿８と貯留皿９との間には、効果音を出すためのスピーカ１０が設けられており、貯留皿９の右側（前面側から見て）には、発射装置７を操作するための発射ハンドル１１が取り付けられている。
【００２３】
さらに、遊技盤６の前面側には、誘導レールによって囲まれた略円形の遊技領域１２が設けられている。遊技領域１２の略中央には、種々の動画やメッセージ等を表示可能な液晶画面１３を備えた図柄表示装置１４が設置されている。また、図柄表示装置１４の下方には、液晶画面１３に表示される図柄を変動させる契機となり得る図柄始動口１５が設けられており、その図柄始動口１５の下方には、開閉可能な扉部材１６を備えた大入賞装置１７が設けられている。加えて、遊技領域１２には、遊技球の落下に変化をもたせるための多数の障害釘、風車等の遊技部材、種々の入賞口、及び多数の電飾ランプ等が設けられている。
【００２４】
さらにまた、ミドル枠５の後面側には、後述するＲ／Ｗユニット２０等を覆うセンターカバー２１、メイン制御基板収納ケース１９、遊技球タンク２２、及び遊技球タンク２２に貯留されている遊技球を賞品球や貸球として払い出すための遊技球払出装置２３等が設置されている。
以下、ミドル枠５及びミドル枠５に取り付けられた遊技盤６や前面枠４等を合わせて遊技枠３と称す。
【００２５】
一方、図２に示されているように、遊技枠３の開放側側面には監視用のＲＦＩＤ通信可能な監視アンテナである機枠アンテナ２４が固着されている。また、機枠２の開放側側面内側であって、遊技枠３を機枠２に対して閉じた際に機枠アンテナ２４と対峙する位置には、該機枠アンテナ２４との間で監視用のＲＦＩＤ通信を行う監視タグである機枠タグ２５が固着されている。すなわち、遊技枠３を閉じれば、機枠アンテナ２４と機枠タグ２５との距離は、ＲＦＩＤ通信可能な所定距離となる。
【００２６】
図４は監視タグの外観を示した説明図であり、図５は監視タグの制御機構を示したブロック図である。
ここでは、監視タグについて、その一例である機枠タグ２５を用いて説明する。機枠タグ２５は、ガラスコンポジット（たとえば、ＣＥＭ３）で形成された薄い長方形状のプリント基板２６上に、ＲＦ回路２７とＥＥＰＲＯＭ２８とを一体にしたＩＣチップ２９、及び渦巻き状に形成された送受信回路３０を設けたものである。尚、図５に示されているように、ＲＦ回路２７には、ＥＥＰＲＯＭ２８と送受信回路３０とが接続されている。そして、ＥＥＰＲＯＭ２８の上書き消去禁止区域には、機枠タグ２５を他のタグと識別するためのＩＤコード等からなる固有の識別情報が記憶されている。
このように形成された機枠タグ２５は、上述したように機枠２の開放側側面内側に強固に固着されている。
【００２７】
かかる機枠タグ２５は、遊技枠３を閉じた状態において後述する機枠アンテナ２４との間で、所定の周波数（ここでは、１３．５６ＭＨｚ）を利用して、監視用のＲＦＩＤ通信を行うことができる。そして、機枠アンテナ２４からの呼出波を送受信回路３０にて受信すると、予めＥＥＰＲＯＭ２８に記憶されている識別情報を読み出すとともに、反射波にのせて送受信回路３０から所定の通信距離内に出力するように設定されている。尚、該ＲＦＩＤ通信は、タグとアンテナとの間に合成樹脂やガラス等の非金属からなるものが介在していたとしても問題なく行うことができるものである。
【００２８】
また、機枠タグ２５は、機枠アンテナ２４から送信されてきた呼出波を送受信回路３０にて受信し、呼出波に含まれている搬送波成分をＲＦ回路２７で整流することによって直流電圧を得ることができるため、外部からの電源供給を受けることなく、必要な時にいつでも反射波を出力することができる。加えて、呼出波に特定のデータ（監視履歴情報等）が含まれていた場合には、該データをＥＥＰＲＯＭ２８に記憶することも可能である。
【００２９】
一方、図２に示されているように、遊技枠３の開放側側面には機枠アンテナ２４が固着されている。図６は、機枠アンテナ２４を示した説明図である。
機枠アンテナ２４は、基板３１の表面に送受信回路３２を渦巻き状に設けたものを、ガラスコンポジット（たとえば、ＣＥＭ３）によりコーティングして薄板状に形成したものである。また、送受信回路３２の端子３３、３３には同軸ケーブル３４が接続されている。該同軸ケーブル３４を介して機枠アンテナ２４は後述するＲ／Ｗユニット２０のＲＦ回路７１へと接続されており、送受信回路３２から所定の周波数の呼出波を送信可能となっている。
【００３０】
また、遊技盤６の前面を覆うように取り付けられている前面枠４は、フレーム３５にガラス板（図示せず）が嵌め込まれてなるものである。フレーム３５の略中央には円形の遊技窓３６が穿設されている。また、フレーム３５の後面周縁には、ガラス板を嵌め込むための２列の嵌合溝３７、３７が設けられている。ガラス板を嵌め込むと、前面枠４を閉じた際に遊技領域１２の前方をガラス板によって閉塞することとなり、遊技球が流下可能な遊技空間を形成することになる。
【００３１】
さらに、前面枠４の後面開放側上端縁には、監視用のＲＦＩＤ通信可能な監視タグである前面枠タグ３８が固着されている。さらにまた、遊技枠３の前面開放側上端縁であって、前面枠４を遊技枠３に対して閉じた際に前面枠タグ３８と対峙する位置には、前面枠タグ３８との間で監視用のＲＦＩＤ通信可能な監視アンテナである前面枠アンテナ３９が固着されている。
尚、前面枠タグ３８及び前面枠アンテナ３９は、それぞれ図４及び図６で示される監視タグ及び監視アンテナと同様の構成を有するものである。したがって、前面枠タグ３８には、前面枠タグ３８を他のタグと識別するための識別情報が記憶されている。
【００３２】
また、図１及び図２に示されているように、前面枠４の蝶着側上方には、パチンコ機１の前面側にカード差込口４０を開放したカードホルダ４１が設けられている。該カードホルダ４１は、カード差込口４０から差し込まれるマスターカード４２（マスターカード４２については後述する）を保持するものであって、内部に保持空間を有する扁平な直方体状に形成されている。さらに、カードホルダ４１の上面には、マスターカード４２に収納されている確認タグであるカードタグ４３との間で確認用のＲＦＩＤ通信可能な確認アンテナであるカードアンテナ４４が固着されている。尚、カードホルダ４１の保持空間は、マスターカード４２が奥まで差し込まれるだけで、マスターカード４２に収納されたカードタグ４３とカードアンテナ４４との距離が、ＲＦＩＤ通信可能な所定の通信距離以内となるように薄く形成されている。
カードアンテナ４４は、図６に示されている監視アンテナと略同様の構成を有するものであり、同軸ケーブル３４を介してＲ／Ｗユニット２０のＲＦ回路７１と接続されている。したがって、カードアンテナ４４の送受信回路３２からも所定の周波数の呼出波を送信することができる。
【００３３】
マスターカード４２は、上述の如く確認タグであるカードタグ４３を収納した合成樹脂製のカードであり、遊技枠３や前面枠４を開放する等パチンコ機１を取り扱う権限を有する者のみが所持するものである。カードタグ４３は、図４及び図５に示されている監視タグと略同様の構成を有しており、そのＥＥＰＲＯＭ２８にはＩＤコード等からなる識別情報が記憶されている。また、カードタグ４３は、マスターカード４２をカードホルダ４１に差し込んだ際に、カードアンテナ４４と対峙するような位置に収納されている。
【００３４】
一方、図３に示されているように、遊技枠３の後面側の左下方（図３において）には、メイン制御基板収納ケース１９が設置されている。メイン制御基板収納ケース１９には、パチンコ機１の遊技内容に関する種々の動作を制御するメイン制御基板４５（図９で図示）が収納されている。ここで、パチンコ機１の遊技内容に関する動作とは、遊技球の払い出しに関する動作や、遊技者にとって有利な「大当たり状態」を生起させるか否かの「抽選」に関する動作等の各種動作（すなわち、遊技者の利益に直接的に関わる動作）のことである。
また、メイン制御基板４５からの指令に基づいて遊技球払出装置２３の制御を行う払出制御基板を収納した払出基板収納ケース８１、メイン制御基板４５からの指令に基づいて図柄表示装置１４の制御を行う図柄制御基板を収納した図柄基板収納ケース８２、各制御基板とメイン制御基板４５との間で指令の中継を行うサブ制御基板を収納したサブ基板収納ケース８０等が設置されている。各収納ケースは、後述するメイン制御基板収納ケース１９と同様の分割式の収納ケースによって構成される。
【００３５】
図７は、メイン制御基板収納ケース１９を後面側から見た説明図であり、図８は、メイン制御基板収納ケース１９の図７側からみて左側面を示した説明図である。また、図９は、メイン制御基板収納ケース１９の分解斜視図である。尚、メイン制御基板収納ケース１９の説明における左・右の定義は、図７側から見て左・右とする。
メイン制御基板収納ケース１９は分割式の収納ケースであって、透明な合成樹脂製の後ケース４６と、透明な合成樹脂製の前ケース４７とからなっている。
【００３６】
後ケース４６は、開口した箱状に形成されたものであって、長方形状にパネル４８の周囲が略直角に前ケース４７側へ折り返された状態となっている。パネル４８の右側折り返し部４９の後端縁際には、３つの縦長な係止孔５０、５０・・が等間隔で穿設されている。また、パネル４８の左側折り返し部５１には、２個の係合翼５２ａ、５２ｂが設けられている。さらに、係合翼５２ａの上端、及び係合翼５２ｂの下端には、係合孔５３がそれぞれ穿設されている。さらにまた、パネル４８の上端際にはコネクタ挿通窓５４が設けられている。
【００３７】
一方、前ケース４７は、長方形板状の基板支持板５５を備えたものである。基板支持板５５の表面には、補強用のリブ５６、５６・・が格子状に立設されており、基板支持板５５の周囲が略直角に後ケース４６側へと折り返された状態となっている。また、前ケース４７の右端縁際には、スピーカ１０から発生させる効果音の内容を制御するための効果音制御基板を覆う中空状の音基板カバー５７が設けられている。音基板カバー５７の左側面には、嵌合突起５８、５８・・が突設されている。さらに、前ケース４７の左側折り返し部５９には２個の支持翼６０ａ、６０ｂが連設されており、支持翼６０ａの上端、及び支持翼６０ｂの下端には、先端が矢尻状の係合体６１がそれぞれ突設されている。
【００３８】
また、メイン制御基板収納ケース１９に収納されるメイン制御基板４５は、縦長の長方形状に形成されており、中央部分の表面には、パチンコ機１の遊技内容に係る動作を制御するためのＬＳＩ６２等の各種の制御素子が搭載されている。なお、ＬＳＩ６２は、各種の演算処理を行うＣＰＵ、データやプログラム等を一時的に記憶するＲＡＭ、各種のデータや制御プログラムを記憶したＲＯＭ等を一体にモールディングしたものである。さらに、メイン制御基板４５の上端際には、各種の装置に接続するためのコネクタ６３、６３・・が設置されている。そして、該メイン制御基板４５は、リブ５６、５６・・に支えられた状態で、前ケース４７に螺着されている。
【００３９】
ここで、メイン制御基板収納ケース１９の組立方法を説明する。
まず、前ケース４７の音基板カバー５７の左側面に突設された嵌合突起５８、５８・・を、後ケース４６の右側折り返し部４９に穿設された係止孔５０、５０・・に嵌合させる。次に、前ケース４７の支持翼６０ａ、６０ｂに突設された各係合体６１を。後ケース４６の係合翼５２ａ、５２ｂに穿設された各係合孔５３に係合させることで、後ケース４６と前ケース４７とが一体となって、メイン制御基板収納ケース１９が組み立てられる。そして、メイン制御基板４５は、後ケース４６と前ケース４７とで覆われており、コネクタ６３、６３・・のみがコネクタ挿通窓５４から覗いた状態となっている。
【００４０】
一方、前ケース４７の支持翼６０ａの左外側には、図７〜図９に示されているように、監視用のＲＦＩＤ通信可能な監視タグであるケースタグ６４が固着されている。ケースタグ６４も、図４に示されている監視タグと同様の構成を有しており、ケースタグ６４を他のタグと識別するための固有の識別情報を記憶している。
【００４１】
また、後ケース４６の係合翼５２ａには、図９に示されているように、監視アンテナであるケースアンテナ６５が、その略半分を係合翼５２ａの表面に沿って前ケース４７へと突出させた状態で貼着されている。そして、メイン制御基板収納ケース１９を組み立てると、ケースアンテナ６５が、ケースタグ６４と対峙し且つケースタグ６４を覆った状態となり、ケースタグ６４とケースアンテナ６５との間で監視用のＲＦＩＤ通信が可能となる。
尚、ケースアンテナ６５も、図６に示されている監視アンテナと同様の構成を有するものであり、同軸ケーブル３４を介してＲ／Ｗユニット２０のＲＦ回路７１と接続されている。したがって、ケースアンテナ６５の送受信回路３２からも所定の周波数の呼出波を送信することができる。
【００４２】
一方、後面側から見て中央右側には遊技球払出装置２３が、上端には遊技球タンク２２が夫々取り付けられている。また、メイン制御基板収納ケース１９の上方にはセンターカバー２１が取り付けられており、該センターカバー２１の内部には、監視用のＲＦＩＤ通信や確認用のＲＦＩＤ通信を制御や、監視用のＲＦＩＤ通信に係る監視履歴情報の記憶等を行う監視制御装置であるＲ／Ｗユニット２０等が設置されている。
【００４３】
図１０は、Ｒ／Ｗユニット２０の制御機構を示したブロック図である。Ｒ／Ｗユニット２０は、制御手段であるＣＰＵ６６、一時的な記憶を行うＲＡＭ６７、ＲＯＭ６８、ＥＥＰＲＯＭ６９、タイマ７０、各アンテナと各タグとの間で監視用のＲＦＩＤ通信や確認用のＲＦＩＤ通信を行うためのＲＦ回路７１、ステーション７３と接続するための入出力手段であるＩ／Ｏインタフェイス７２等を有している。図１０に示されているように、ＣＰＵ６６はＩ／Ｏインタフェイス７２を介してステーション７３と接続されている。また、ＲＦ回路７１が、機枠アンテナ２４、前面枠アンテナ３９、ケースアンテナ６５、及びカードアンテナ４４と同軸ケーブル３４によって接続されている。さらに、ＥＥＰＲＯＭ６９には、機枠タグ２５、前面枠タグ３８、及びケースタグ６４にそれぞれ記憶されている識別情報が、各タグの固着位置に関連する情報（どの監視アンテナにより受信されたものであるかの情報）を付与されて第一の識別情報として予め記憶されている。加えて、ＥＥＰＲＯＭ６９にはカードタグ４３に記憶されている識別情報も予め記憶されている。
尚、Ｒ／Ｗユニット２０は、パチンコ機１が設置されている島設備から２４時間常時電源供給されている。
【００４４】
ステーション７３は、パチンコ機１が設置されるホールに備えられるホールコンピュータであって、各パチンコ機１に設置されるＲ／Ｗユニット２０のＩ／Ｏインタフェイス７２と接続されている。ステーション７３は、各Ｒ／Ｗユニット２０において記憶される監視履歴情報を記憶・管理する管理手段７５、Ｒ／Ｗユニット２０からの要請により周囲へと報知可能な報知手段７６、Ｒ／Ｗユニット２０へと確認信号等を出力可能な応答手段７７等を備えている。
【００４５】
上述したように、構成されたＲ／Ｗユニット２０では、ＲＦ回路７１を介して各監視アンテナから送信した呼出波に対して、各監視タグから反射波を受信すると、再度呼出波を送信するという各監視タグと各監視アンテナとの間における監視用のＲＦＩＤ通信を、短時間（数十ｍｓ）の周期で繰り返し２４時間常時行っている。そして、このＲＦＩＤ通信において、たとえば呼出波に対して反射波を受信しなくなった場合（たとえば、遊技枠３が不正に開放された場合）等には、ＣＰＵ６６で正常でない状態であると判断し、監視履歴情報として正常でない事態を検知した時刻をＥＥＰＲＯＭ６９に記憶する。また、正常でない状態を検知した旨をＩ／Ｏインタフェイス７２を介してステーション７３へと送信し、報知手段７６にて周囲に報知する。
【００４６】
また、Ｒ／Ｗユニット２０では、ＲＦ回路７１を介してカードアンテナ４４から常時呼出波を送信している。そして、マスターカード４２がカードホルダ４１に差し込まれ、カードアンテナ４４とカードタグ４３との間で確認用のＲＦＩＤ通信が可能になると、カードタグ４３に記憶されている識別情報と、Ｒ／Ｗユニット２０のＥＥＰＲＯＭ６９に記憶されている識別情報とが一致するか否かを確認する。確認用のＲＦＩＤ通信は、ＲＦＩＤ通信可能な間（すなわち、カードホルダ４１にマスターカード４２が差し込まれている間）、短時間（数十ｍｓ）の周期で繰り返し行われるものである。
そして、識別情報を確認できた場合には、確認用のＲＦＩＤ通信が行われている間、Ｒ／Ｗユニット２０は監視用のＲＦＩＤ通信を行わない。したがって、たとえ遊技枠３が開放されたとしても、Ｒ／Ｗユニット２０は正常でない状態であると判断しない。尚、確認用のＲＦＩＤ通信が不成立になる（すなわち、カードホルダ４１からマスターカード４２が抜き取られる）と、Ｒ／Ｗユニット２０は監視用のＲＦＩＤ通信を再開する。また、Ｒ／Ｗユニット２０は、確認用のＲＦＩＤ通信を行った時刻や、その際利用された識別情報等を作業履歴として記憶する。
【００４７】
さらに、カードホルダ４１からマスターカード４２が抜き取られると、Ｒ／Ｗユニット２０は、監視用のＲＦＩＤ通信の再開に際して、各監視アンテナからの呼出波に対する各監視タグからの最初の反射波に含まれている識別情報を、その固着位置に関連する情報を付与して第三の識別情報としてＲＡＭ６７に一時記憶する。そして、ＲＡＭ６７に一時記憶されている第三の識別情報と、ＥＥＰＲＯＭ６９に記憶されている第一の識別情報とを比較する。その全てが一致していた場合（固着位置に関連する情報も含めて）には、ＲＡＭ６７に一時記憶された第三の識別情報をそのままＥＥＰＲＯＭ６９の第一の識別情報の上から上書きする。一方、一つでも異なっていた場合には、その旨をステーション７３へと送信し、報知手段７６によって報知する。その後、ステーション７３からの確認信号を検知した場合には、ＲＡＭ６７に一時記憶されている第三の識別情報をＥＥＰＲＯＭ６９の第一の識別情報の上から上書きすると共に、ＲＡＭ６７に記憶されている第三の識別情報を消去する。
【００４８】
（３）実施例の遊技機監視システム及びパチンコ機の動作内容
パチンコ機１は、メイン制御基板収納ケース１９に収納されたメイン制御基板４５に記憶されているプログラムにしたがって、主たる遊技動作を実行する。そして、発射ハンドル１１の回動操作によって遊技領域１２に打ち出された遊技球が図柄始動口１５に入賞すると、メイン制御基板４５において「抽選」を実行し、「大当たり」となるか否かを決定する。また、「抽選」を実行すると略同時に図柄表示装置１４の液晶画面１３に表示されている図柄を変動させ（他の図柄と順々に入れ替わる動画等を表示し）、所定時間後に停止させて新たな図柄を表示する。さらに、「抽選」において「大当たり」となった場合には、図柄の変動後に予め設定されている「大当たり図柄」を表示するとともに、「大当たり状態」を生起させて、大入賞装置１７の扉部材１６を所定回数だけ断続的に開放させる。尚、大入賞装置１７の扉部材１６は、「大当たり状態」生起時以外では開放しないようになっている。一方、扉部材１６の内部の大入賞口や各種の入賞口に遊技球が入賞した場合には、所定数の遊技球を遊技球払出装置２３によりカウントして、賞品球として供給皿６へと払い出す。
【００４９】
一方、パチンコ機１は、遊技枠３の不正開放等の行為を監視すべく、Ｒ／Ｗユニット２０の制御によって監視アンテナと監視タグとの間で監視用のＲＦＩＤ通信を行っている。図１１は、パチンコ機１の監視動作を示すフローチャート図である。以下、図１１に沿ってパチンコ機１の監視動作を説明する。
【００５０】
まず、Ｓ１において、Ｒ／Ｗユニット２０のＲＦ回路７１が、監視アンテナの送受信回路３２を介して所定の周波数の呼出波を送信する。監視タグは、監視アンテナからの呼出波を送受信回路３０にて受信すると、直ちにＥＥＰＲＯＭ２８に記憶されている識別情報を読み出し、ＲＦ回路２７にて識別情報を含んだ反射波を生成し、送受信回路３０から返信する。該反射波は、監視アンテナの送受信回路３２を介して受信される。
ここで、Ｒ／Ｗユニット２０では、Ｓ２において、監視アンテナからの呼出波に対して所定時間内（たとえば２０ｍｓ以内）に監視タグからの反射波を受信したか否かが判定される。そして、Ｓ２における判定の結果、所定の時間以内に受信したと判定された場合には、正常な状態であると判断され、Ｓ３へと進む。
【００５１】
Ｓ３では、Ｒ／Ｗユニット２０により、受信した監視タグからの反射波に含まれる識別情報と、予めＲ／Ｗユニット２０に記憶されている識別情報とが一致するか否かが判定される。そして、Ｓ３における判定の結果、両者が一致すると判定された場合には、正常な状態であると判断され、Ｓ１へと戻り、再び監視アンテナから呼出波が送信される。尚、この監視用のＲＦＩＤ通信は、上述したように短時間の周期で２４時間繰り返し行われている。
【００５２】
一方、Ｓ２における判定の結果、呼出波に対して所定時間内に反射波を受信できなかった場合には、正常でない状態であると判断される。また、Ｓ３における判定の結果、反射波に含まれる識別情報と、Ｒ／Ｗユニット２０に予め記憶されている識別情報とが一致しなかった場合にも、正常でない状態であると判断される。以上のように正常でない状態であると判断されると、Ｓ４へと進み、正常でない状態であると判断された時刻をタイマ７０に基づき監視履歴情報としてＥＥＰＲＯＭ６９に記憶する。そして、正常でない状態を検知した旨をステーション７３へと送信し、ステーション７３の報知手段にて周囲に報知する。
以上のような態様で、パチンコ機１は、監視用のＲＦＩＤ通信を利用した監視動作を行っている。尚、ＥＥＰＲＯＭ６９に記憶される監視履歴情報は、必要に応じてステーション７３へと送信可能であり、ステーション７３の管理手段７５にて管理される。また、ステーション７３の管理手段側からの要請により、ＥＥＰＲＯＭ６９やＲＡＭ６７に記憶されている監視履歴情報や各タグの識別情報等を読み出したり、消去したりすることもできる。
【００５３】
また、パチンコ機１は、正規の作業や点検のために遊技枠３を開放する等してパチンコ機１を取り扱う際、取り扱う者が権限を有していることを確認すべく、Ｒ／Ｗユニット２０の制御によって確認用のＲＦＩＤ通信を行う。図１２及び図１３は、パチンコ機１の確認動作を示すフローチャート図であ。以下、図１２及び図１３に沿ってパチンコ機１の確認動作を説明する。
【００５４】
まず、Ｓ１１において、Ｒ／Ｗユニット２０は、ＲＦ回路７１で呼出波を生成し、カードアンテナ４４の送受信回路３２を介して所定の周波数の呼出波を送信する。次に、Ｓ１２において、その呼出波に対してカードタグ４３からの反射波を受信したか否かを判定する。反射波の受信を確認できない場合には、Ｓ１３へと進み、カードフラグのＯＮ／ＯＦＦを確認し、ＯＦＦならばＳ１１へと戻り、再びカードアンテナ４４から呼出波を送信する。尚、Ｓ１３での判定において、カードフラグがＯＮであると確認された場合については、図１３に基づいて後述する。
一方、カードホルダ４１にマスターカード４２が差し込まれると、カードタグ４３とカードアンテナ４４とが所定の通信距離内で対峙する。そのため、カードタグ４３は、カードアンテナ４４からの呼出波を送受信回路３０にて受信し、直ちにＥＥＰＲＯＭ２８に記憶されている識別情報を読み出す。そして、ＲＦ回路２７にて識別情報を含んだ反射波を生成し、送受信回路３０から返信する。該反射波は、カードアンテナ４４の送受信回路３２を介して受信されることになり、Ｓ１２の判定の結果、反射波の受信が確認されることになる。
【００５５】
したがって、Ｓ１２における判定の結果、Ｒ／Ｗユニット２０は、反射波の受信を確認すると、Ｓ１４において、Ｒ／Ｗユニット２０は、カードタグ４３からの反射波に含まれている識別情報と、ＥＥＰＲＯＭ６９に予め記憶されている識別情報とが一致するか否かを判定する。Ｓ１４における判定の結果、両者が一致しなかった場合には、差し込まれたのはマスターカード４２ではないと判断する。そして、Ｓ１１へと戻り、再びカードアンテナ４４から呼出波を送信する。
一方、Ｓ１４における判定の結果、両者が一致した場合には、マスターカード４２が差し込まれたと判断し、Ｓ１５へと進み、カードフラグのＯＮ／ＯＦＦを判定する。判定の結果、カードフラグがＯＦＦであったならば、Ｓ１６においてカードフラグをＯＮとし、Ｓ１７へと進む。一方、Ｓ１５での判定の結果、カードフラグがＯＮであった場合には、Ｓ１６をとばしてＳ１７へと進む。
【００５６】
そして、Ｓ１７において、Ｒ／Ｗユニット２０は監視用のＲＦＩＤ通信を停止する。したがって、たとえ遊技枠３等が開放されたとしても、Ｒ／Ｗユニット２０は、遊技枠３等が開放されたことを検知しないし、正常でない状態であるとも判断しない。また、その後はＳ１１へと戻り、再度カードアンテナ４４から呼出波を送信する。
【００５７】
一方、Ｓ１３の判定の結果、カードフラグがＯＮであると確認した場合（すなわち、カードホルダ４１からマスターカード４２が抜き出された場合）には、Ｓ２１においてカードフラグをＯＦＦし、Ｓ２２において各監視アンテナと各監視タグとの間で監視用のＲＦＩＤ通信を開始する。そして、Ｓ２３において、各監視アンテナから送信される呼出波に対する各監視タグからの最初の反射波に含まれている識別情報を、各監視タグの固着位置に関する情報（どの監視アンテナにおいて受信したものかという情報）を付与した上でＲＡＭ６７に一時記憶する。
次に、Ｓ２４において、ＲＡＭ６７に一時記憶した識別情報と、ＥＥＰＲＯＭ６９に記憶している識別情報との比較を行い、固着位置に関する情報をも含めて変化の有無を判定する。そして、変化無しと判定した場合には、Ｓ２５においてＲＡＭ６７に一時記憶した識別情報をＥＥＰＲＯＭ６９の識別情報が記憶されている領域に上書きして、Ｓ１１へと戻る。
【００５８】
また、Ｓ２４における判定の結果、変化有りと判定された場合には、Ｓ２６においてその旨ステーション７３へと報知する。その際、固着位置に関する情報の比較も行っているため、どこの位置の監視タグが交換等によって異なるものになったのかということまで報知することができる。そして、Ｓ２７において、ステーション７３からの確認信号の有無を判定し、確認信号が送信されてくるまで報知を行う。一方、ステーション７３からの確認信号を検知すると、Ｓ２５においてＲＡＭ６７に一時記憶した識別情報をＥＥＰＲＯＭ６９の識別情報が記憶されている領域に上書きして、Ｓ１１へと戻る。
【００５９】
尚、図１２で示されているような確認動作は、短い周期で２４時間繰り返し行われるものである。したがって、マスターカード４２が認証されている間（つまり、カードホルダ４１にマスターカード４２が差し込まれている間）、監視動作は停止される。尚、Ｒ／Ｗユニット２０は、監視動作を停止した時刻（すなわち、カードホルダ４１にマスターカード４２が差し込まれた時刻）や、その際に受信した識別情報等を作業履歴としてＥＥＰＲＯＭ６９に記憶する。また、該作業履歴は、必要に応じてステーション７３へと送信可能であり、ステーション７３の管理手段７５にて管理される。尚、ステーション７３の管理手段側からの要請により、ＥＥＰＲＯＭ６９に記憶されている作業履歴を読み出したり、消去したりすることもできる。
【００６０】
ここで、図１３及び図１４に基づいて、実際に監視タグが交換された場合の動作について具体的に説明する。図１４は、メイン制御基板収納ケース１９の監視タグが交換された場合における、ＥＥＰＲＯＭ６９及びＲＡＭ６７での記憶態様の一例を示す説明図である。
【００６１】
パチンコ機１には、メイン制御基板収納ケース１９、遊技枠３、及び前面枠４に監視タグが夫々固着されている。そして各監視タグに記憶されている識別情報は、図１４（ａ）に示されているように固着場所（監視場所）毎に区別可能な（監視タグに記憶されている固有の識別情報に監視タグの設置位置に関する情報を付与した）状態でＥＥＰＲＯＭ６９に予め記憶されている。
ここで、たとえば作業員によってマスターカード４２を利用して、メイン制御基板収納ケース１９に固着されているケースタグ６４が交換されたとする。マスターカード４２がカードホルダ４１から抜き取られると、Ｓ２１、及びＳ２２の処理後、Ｓ２３において図１４（ｂ）に示されているような状態（監視タグに記憶されている固有の識別情報に監視タグの設置位置に関する情報を付与した状態）で、各監視タグの識別情報が固着場所（監視場所）毎にＲＡＭ６７に記憶される。そして、Ｓ２４において図１４（ａ）と図１４（ｂ）とを比較（ＥＥＰＲＯＭ６９とＲＡＭ６７とに記憶された識別情報を比較）する。比較の結果、図１４（ａ）と図１４（ｂ）とでは監視場所１（メイン制御基板収納ケース１９）に固着されている監視タグの識別情報が異なっているため、Ｓ２６にてその旨をステーション７３へと報知するようになっている。このように、Ｒ／Ｗユニット２０では、監視場所毎での識別情報の相違を比較・検知可能であり、どこに固着された監視タグがどの識別情報へと変化したのかまでも監視している。
【００６２】
（４）実施例の遊技機監視システム及びパチンコ機の効果
本実施例に係るパチンコ機１は、上記の如く、機枠２には機枠タグ２５が、遊技枠３には機枠アンテナ２４が夫々固着されており、機枠タグ２５と機枠アンテナ２４との間で監視用のＲＦＩＤ通信を行うことで、機枠２に対する遊技枠３の開閉状態を監視している。そして、たとえば遊技者が遊技枠３を不正に開放すると、機枠アンテナ２４は機枠タグ２５からの反射波を受信することができなくなるため、Ｒ／Ｗユニット２０によって正常でない状態にあることを直ちに検知することができる。また、機枠タグ２５からの反射波を受信できなくなった時刻を監視履歴情報としてＥＥＰＲＯＭ６９に記憶するため、リアルタイムでより効果的な監視を行うことができる。そして、このような効果的な監視を行うことにより、遊技枠３に対して不正行為を行いにくいパチンコ機１とすることができる。
また、パチンコ機１は、監視動作において、機枠タグ２５からの反射波に含まれている識別情報が、ＥＥＰＲＯＭ６９に記憶されている識別情報と異なっていた場合にも、正常でない状態であると判断し、その識別情報を受信した時刻をＥＥＰＲＯＭ６９に監視履歴情報として記憶するため、機枠タグ２５の不正交換といった事態にも対応することができる。
【００６３】
さらに、前面枠４の遊技枠３に対する開閉状態も同様に監視しており、前面枠４に対する不正行為もリアルタイムで検知可能である。したがって、前面枠４に対しても不正行為を行いにくいパチンコ機１とすることができる。
さらにまた、パチンコ機１では、メイン制御基板収納ケース１９が後ケース４６と前ケース４７とからなる分割式の収納ケースであって、後ケース４６と前ケース４７とに跨るように且つケースタグ６４を覆うようにケースアンテナ６５が貼着されている。そして、Ｒ／Ｗユニット２０の制御のもとでケースアンテナ６５とケースタグ６４との間で常時監視用のＲＦＩＤ通信が行われている。したがって、メイン制御基板収納ケース１９が不正に開放された場合には、ケースアンテナ６５はケースタグ６４からの反射波を受信できなくなるため、Ｒ／Ｗユニット２０によって正常でない状態にあるかもしれないということを直ちに検知することができる。また、ケースタグ６４からの反射波を受信できなくなった時刻を監視履歴情報としてＥＥＰＲＯＭ６９に記憶するため、リアルタイムでより効果的な監視を行うことができる。そして、このような効果的な監視を行うことにより、メイン制御基板収納ケース１９に対して不正行為を行いにくいパチンコ機１とすることができる。
【００６４】
また、ステーション７３の応答手段７７から確認信号が出されるまでは、ＲＡＭ６７に一時記憶されている識別情報を、ＥＥＰＲＯＭ６９に記憶されている識別情報に上書きしないため、例えばホールの店長等が監視タグが交換されているという事実を確認しやすくなっており、きわめて効率よく監視を行うことができる。
さらに、ＥＥＰＲＯＭ６９とは別に、第三の識別情報を記憶するためのＲＡＭ６７を設けることで、ＥＥＰＲＯＭ６９の容量をより有効に利用することができる。
【００６５】
加えて、パチンコ機１は従来よりホールにおいて使用されているパチンコ機本体にＲ／Ｗユニット２０、各監視タグ、各監視アンテナ、及び確認手段を設置するだけで構成可能である。すなわち、本実施例に係る遊技機監視システムは後付け可能であるため、該遊技機監視システムを備えたパチンコ機１は、その生産性が非常に優れている。また、パチンコ機１は、Ｒ／Ｗユニット２０において、複数箇所での監視用のＲＦＩＤ通信及び確認用のＲＦＩＤ通信を一つのＲＦ回路７１にて行っているため、遊技機監視システムの構成を簡素化することができる。
尚、Ｒ／Ｗユニット２０はパチンコ機１が設置される島設備から常時電源供給を受けているため、夜間パチンコ機１の電源が落とされた状態でもパチンコ機１に対する不正行為をリアルタイムで監視することができる。また、各監視アンテナと各監視タグとの間の通信可能な距離が５ｍｍと短く設定されているため、わずかな開放をも検知することができる。
【００６６】
また、マスターカード４２を利用してパチンコ機１を取り扱う権限を有しているか否かを確認するため、パチンコ機１の修理等により正規にパチンコ機１の遊技枠３を開放する際等に、Ｒ／Ｗユニット２０が一々不正の報知や監視履歴情報の記憶等を行わない。したがって、監視履歴情報等の管理を行いやすく、より効率よく監視を行うことができる。
さらに、パチンコ機１は、各監視タグの識別情報を、Ｒ／Ｗユニット２０のＥＥＰＲＯＭ６９に、その固着位置に関連した情報を付与した状態で記憶している。そして、マスターカード４２が利用されると、その後に行われる監視用のＲＦＩＤ通信において、各監視タグからの反射波に含まれている識別情報をＲＡＭ６７に一時記憶して、ＥＥＰＲＯＭ６９に記憶している識別情報と比較する。したがって、遊技機を取り扱う権限を有した者が故障等により監視タグを交換した場合に、どこの監視タグが交換されたのかを極めて容易に把握することができ、より効率の良い監視を行うことができる。
さらにまた、Ｒ／Ｗユニット２０では各監視タグの識別情報を、その固着位置に関連した情報を付与した状態で記憶・一時記憶して比較するため、複数箇所において監視タグが交換されたとしても、どこの監視タグがどの識別情報に交換されたのかを極めて容易に把握することができる。
【００６７】
加えて、パチンコ機１は、マスターカード４２を利用した際に、監視タグが交換された場合にはステーション７３へとその旨を報知するとともに、ステーション７３からの確認信号を受信するまで報知をし続けるため、ホールの店長等の周囲の人にも監視タグが交換された事実及びどこの監視タグが交換されたのか等を知らせることができる。
【００６８】
（５）本発明の変更例の説明
本発明の遊技機監視システム及び遊技機は、上述した実施例の態様に何ら限定されるものではなく、メイン制御基板、メイン制御基板収納ケース、各監視タグ、各監視アンテナ、監視制御装置、ステーション、及び確認手段等の材料、形状、構造、取付位置、設置数等の構成を本発明の趣旨を逸脱しない範囲内で適宜変更することができる。
【００６９】
たとえば、マスターカード等を利用した確認手段でなく、Ｒ／Ｗユニットに接続された中継タグと、該中継タグとＲＦＩＤ通信可能なユニットを備えたＰＤＡ（Personal Digital Assistant）等の外部携帯端末とを利用した確認手段とし、パスワード等により権限の確認を行うようにしても何ら問題はない。また、マスターカードの形状や、カードホルダの形状・設置位置等も実施例の形態に何ら限定されることはなく、カードホルダを遊技機とは別体成形したものとしてもよい。
また、監視動作を再開する際に行う識別情報の比較の結果、新しい識別情報が確認された際にステーションへと報知し、ステーションからの確認信号を受信するまでは報知し続けて上書きしないものとしたが、報知をするとともに確認信号の有無に関係なく上書きを行う構成としても何ら問題はない。勿論、上述の如く確認手段を中継タグとＰＤＡとで構成し、ＰＤＡから確認信号を送信するように構成することはできるし、遊技機本体に確認信号を発するスイッチを設けてもよい。
さらに、一時記憶する際にＲＡＭに記憶するのではなく、ＥＥＰＲＯＭに一時記憶用の領域を設けてもよい。加えて、ＥＥＰＲＯＭに識別情報を記憶する領域を２箇所設けて、より古い識別情報が記憶されている領域に新しい識別情報を上書きして、新しい識別情報と古い識別情報（上書きされた識別情報よりは新しい識別情報）とを比較する構成としても何ら問題はない。勿論、第一の識別情報、第三の識別情報、監視履歴情報、及び作業履歴に関する記憶を全てＲＡＭにて行うようにすることもできる。
【００７０】
また、各監視タグの設置位置、及び各監視アンテナの設置位置も、図１４で示されているような実施例の位置・監視場所の数に限定されることはない。実施例のうちのどこか一箇所だけでもいいし、どこか二箇所としてもよい。さらに、五箇所全てで監視を行うようにしてもよい。加えて、実施例では五箇所まで監視を行うようになっているものの、それ以上（例えば八箇所、十箇所・・）で監視を行うようにすることも当然可能である。
実施例以外の監視対象としては、たとえば大入賞装置に対する扉部材の開閉状態が考えられる。扉部材に監視タグを、大入賞装置側に監視アンテナを設置することで、扉部材の開閉状態を監視することができる。このようにして扉部材の開閉状態を監視することで、ピアノ線等を利用した不正行為（前面枠の隙間から差し込んで大当たり状態でないにも拘わらず、扉部材を開放する等）を検知することができる。
【００７１】
他にも、払出基板収納ケースや図柄基板収納ケース、サブ基板収納ケース等をメイン制御基板収納ケースと同様に、監視タグと監視アンテナとを利用して監視するようにしてもよい。また、供給皿や貯留皿の監視を行うようにしてもよいし、遊技球払出装置の監視を行うようにしてもよい。
【００７２】
さらに、メイン制御基板収納ケースを分割式のものとする場合には、シンプルな係合機構（たとえば先端が矢尻状に形成された係止片と係合孔とによる機構）のみを設けたものに限定されず、片方のケースの端縁に、ワンウェイタイプのネジを保持した切断可能な複数のネジ保持部を設ける（たとえば、小径の連結体を介して片方のケースの本体にネジ保持部が繋がった形状となるように、片方のケース、連結体、ネジ保持部を合成樹脂によって一体的に成形する）とともに、他方のケースの端縁に、ネジ保持部に保持されたネジを螺着させるネジ孔を形成したもの等に変更することも可能である。かかる構成を採用した場合には、メイン制御基板収納ケースが不正に開放されると、メイン制御基板収納ケースに不正に開放された痕跡が残り、目視によってもその事態を速やかに把握することができるため、メイン制御基板収納ケースの不正開放が一層困難なものとなる、というメリットがある。
【００７３】
また、監視タグや監視アンテナ、確認アンテナ等を固着する方法は、接着剤による接着であってもよいし、各タグや各アンテナを構成する樹脂を融着させる方法や、各タグや各アンテナを一体的に成形する方法等の別の取付方法に変更することも可能である。なお、シート状のタグやアンテナを、裏面に粘着剤を塗布したシールとするとともに、粘着剤層の表面に剥離紙を貼着しておき、設置する際に剥離紙を剥離して貼着するようにすれば、タグやアンテナの設置が非常に容易になる、というメリットがある。
さらに、上述の如く、各タグ、及び各アンテナをシールとする場合には、それらが剥離された場合に機能を果たさなくなるようにする（いわゆる、自己破壊タイプのものとする）ことも可能である。そのように構成した場合には、遊技機が奏する遊技枠や前面枠等の不正開放防止機能をより精度の高いものとすることが可能となる。なお、タグやアンテナを自己破壊タイプのものとする方法としては、フレキシブルプリント基板の表面に積層する粘着剤層中に送受信回路を形成する方法や、剥離によって所定量以上の応力が加わると短絡するような回路をタグやアンテナに設ける（内蔵させる）方法等を採用することができる。
【００７４】
さらにまた、各タグに記憶される識別情報は、他のタグと識別するためのＩＤコードのみならずメーカーＩＤやホールＩＤ等をも記憶させたものとすることもできるし、固着位置に関する情報を最初から記憶したものに変更することも可能である。さらに、監視用のＲＦＩＤ通信及び確認用のＲＦＩＤ通信は、ＲＦ送受信を利用して識別情報を送信するものに限定されず、赤外線通信を利用して識別情報を送信するもの等に変更することも可能である。さらに、本発明の遊技機は、パチンコ機に限定されず、スロットマシーンやテレビゲーム等のパチンコ機以外の遊技機に変更することも可能である。
加えて、Ｒ／Ｗユニットは、異常を検知した旨を不揮発性の記憶手段であるＥＥＰＲＯＭに記憶するものに限定されず、通常のＲＯＭ、ＲＡＭ、ハードディスク、光メディア等の記憶手段に記憶するもの等でもよい。また、Ｒ／Ｗユニットは、遊技機が設置される島設備から電源供給を受けるものに限定されず、パチンコ機から直接電源供給を受けるもの等でもよい。さらに、Ｒ／Ｗユニットは遊技機とは別体のものであり、島設備等の遊技機の外部に設置してもよい。加えて、遊技機一台に対して一つのＲ／Ｗユニットとするのではなく、一つのＲ／Ｗユニットで複数台の遊技機を監視するようにしてもよい。
【００７５】
さらに、Ｒ／Ｗユニットは、営業時間中には異常事態の報知のみを行い（監視履歴情報の記憶を行わない）、遊技機が稼働していない夜間等に監視履歴情報をＥＥＰＲＯＭ等の記憶手段に記憶のみ行うものに変更することも可能である。なお、Ｒ／Ｗユニットとステーション等の外部のネットワークとの接続方法は、有線による接続であってもよいし、無線による接続でもよい。さらにまた、正常でない事態を報知する態様として、実施例ではステーションの報知手段にて報知を行うようにしているが、図柄表示装置等に不正行為が行われている可能性がある旨を表示するようにしてもよいし、報知手段として遊技機に不正表示ランプ等を別途設け、点灯点滅させるようにしてもよい。勿論、サイドランプや電飾ランプ等を不正報知用の報知手段として利用することも当然可能である。
加えて、監視用のＲＦＩＤ通信及び確認用のＲＦＩＤ通信において、各タグと各アンテナとの間の通信可能な距離を５ｍｍとしたが、３ｍｍとしてもよいし、それ以上またはそれ以下に設定しても何ら問題はない。またその際利用される周波数も、実施例のものに限定されることはない。
【００７６】
また、上述した実施例では、監視履歴情報を、監視用のＲＦＩＤ通信において正常でない状態を検知した時刻に関連づけたものとしているが、監視用のＲＦＩＤ通信が正常でない状態から正常に復帰した時刻や、正常でない状態であった時間等に関連づけたものとしてもよい。そうすることで、たとえ不正行為が行われた後に正常な状態に復帰した場合等に、より詳しい監視履歴情報を得ることができる。さらに、ステーション等で監視履歴情報を参照した際に、所定時間内に反射波を受信できなかったのか或いは受信した識別情報が異なっていたのかを区別することができるような監視履歴情報とすることも可能である。
さらに、上述した実施例では、確認動作における報知をステーションにて行うものとしたが、それに限定されることはなく、遊技機に設けられているサイドランプや、島設備に設けられるランプ等を報知手段として、該報知手段にて報知を行うようにしてもよい。そうすることで、より多くの人（たとえば店員等）にも監視用タグの交換が行われた旨を報知することができる。
【図面の簡単な説明】
【００７７】
【図１】パチンコ機の前面を示す説明図である。
【図２】遊技枠及び前面枠を片開きにした状態を示すパチンコ機の斜視図である。
【図３】パチンコ機の後面を示す説明図である。
【図４】監視タグ（確認タグ）の説明図である。
【図５】監視タグ（確認タグ）の制御機構を示すブロック図である。
【図６】監視アンテナ（確認アンテナ）を示す説明図である。
【図７】メイン制御基板収納ケースを後面から見た説明図である。
【図８】メイン制御基板収納ケースの後面から見て左側の側面を示す説明図である。
【図９】メイン制御基板収納ケースの分解斜視図である。
【図１０】Ｒ／Ｗユニットの制御機構を示す説明図である。
【図１１】パチンコ機の監視動作を実行するためのプログラムの一例を示すフローチャート図である。
【図１２】パチンコ機の確認動作を実行するためのプログラムの一例を示すフローチャート図である。
【図１３】パチンコ機の確認動作を実行するためのプログラムの一例を示すフローチャート図である。
【図１４】ＥＥＰＲＯＭ及びＲＡＭへの識別情報の記憶態様の一例を模式的に示した説明図である。
【符号の説明】
【００７８】
１・・パチンコ機、２０・・Ｒ／Ｗユニット、２４・・機枠アンテナ、２５・・機枠タグ、３８・・前面枠タグ、３９・・前面枠アンテナ、４１・・カードホルダ、４２・・マスターカード、４３・・カードタグ、４４・・カードアンテナ、６４・・ケースタグ、６５・・ケースアンテナ、６６・・ＣＰＵ、６７・・ＲＡＭ、６９・・ＥＥＰＲＯＭ、７２・・Ｉ／Ｏインタフェイス、７３・・ステーション、７６・・報知手段。
【図１】
2005218788.tif 000003
【図２】
2005218788.tif 000004
【図３】
2005218788.tif 000005
【図４】
2005218788.tif 000006
【図５】
2005218788.tif 000007
【図６】
2005218788.tif 000008
【図７】
2005218788.tif 000009
【図８】
2005218788.tif 000010
【図９】
2005218788.tif 000011
【図１０】
2005218788.tif 000012
【図１１】
2005218788.tif 000013
【図１２】
2005218788.tif 000014
【図１３】
2005218788.tif 000015
【図１４】
2005218788.tif 000016